(57)【要約】【課題】筐体の小型化を図れ、撮像時の操作性の向上を図りつつデザイン性の自由度を確保する上で有利な撮像装置を提供する。【解決手段】筐体１２は細長形状を呈し、厚さ方向の一方の面が前面１２Ａとなっており、厚さ方向の他方の面が前面１２Ａと平行する後面１２Ｂとなっている。撮像光学系１４は、最も被写体側に位置する対物レンズ１４Ａを有し、対物レンズ１４Ａは、筐体１２の長手方向の一方の端部寄りの箇所に設けられている。シャッターボタン２５は、対物レンズ１４Ａが設けられた筐体１２の面（前面１２Ａ）と同じ面で、かつ、対物レンズ１４Ａの近傍で対物レンズ１４Ａよりも筐体１２の長手方向の他方の端部側の箇所に設けられている。【選択図】図１
2009159606.tif 000002
【特許請求の範囲】
【請求項１】
外装を構成する細長形状の筐体と、
前記筐体に組み込まれた撮像素子と、
前記筐体に組み込まれ被写体像を前記撮像素子に導く撮像光学系と、
前記筐体に設けられ撮像動作を行わせるシャッターボタンとを備える撮像装置であって、
前記撮像装置によって撮像を行う撮像者の手によって把持される前記筐体の部分と前記シャッターボタンとは前記筐体の長手方向に変位した箇所に位置し、
前記撮像光学系のうち最も被写体側に位置する対物レンズが、前記シャッターボタンが設けられた前記筐体の面と同じ面で、かつ、前記シャッターボタンの近傍で前記シャッターボタンを挟んで前記把持される前記筐体の部分と反対側の箇所に設けられている、
撮像装置。
【請求項２】
前記対物レンズは、前記筐体の長手方向の一方の端部寄りの箇所に設けられ、
前記シャッターボタンは、前記対物レンズよりも前記筐体の長手方向の他方の端部側の箇所に設けられている、
請求項１記載の撮像装置。
【請求項３】
前記対物レンズの光軸は、前記筐体の長手方向と直交する方向に延在している、
請求項１記載の撮像装置。
【請求項４】
前記筐体は、前記対物レンズが設けられた前記筐体の面と反対の面に親指をあてがい、前記対物レンズが設けられた前記筐体の面と同じ面で前記シャッターボタンが設けられた箇所よりも前記筐体の長手方向の他方の端部側の部分に小指、薬指、中指をあてがった状態で把持できる大きさで形成され、
前記シャッターボタンは、前記親指、小指、薬指、中指により前記筐体の部分が把持された状態で、人差し指により押圧操作可能な箇所に設けられている、
請求項１記載の撮像装置。
【請求項５】
前記対物レンズと前記シャッターボタンは、前記親指、小指、薬指、中指により前記筐体の部分が把持され、人差し指が前記シャッターボタン上に位置した状態で、前記対物レンズが人差し指の輪郭の外側に位置するように離間している、
請求項４記載の撮像装置。
【請求項６】
前記筐体は、前記長手方向と直交する方向の幅を有し、
前記対物レンズと前記シャッターボタンは、前記筐体の幅方向の中央に設けられている、
請求項１記載の撮像装置。
【請求項７】
前記筐体には電力を蓄え前記撮像素子に供給する充電部が設けられ、
前記筐体の長手方向の一方の端部に回転可能に回転体が設けられ、
前記回転体の回転により電力を発生する発電部が設けられ、
前記発電部によって発電された電力が前記充電部に充電される、
請求項１記載の撮像装置。
【請求項８】
前記対物レンズの光軸は、前記筐体の長手方向と直交する方向に延在し、
前記回転体は環状を呈し、前記筐体の長手方向の一方の端部に前記対物レンズの光軸と平行する仮想線を中心軸として回転可能に設けられ、
前記回転体の内側空間が、撮像すべき被写体を視認するための光学ファインダーとして機能する、
請求項７記載の撮像装置。
【請求項９】
前記筐体は、前記長手方向と直交する方向の幅を有し、
前記対物レンズは、前記筐体の幅方向の中央に設けられ、
前記回転体の中心軸は、前記筐体の幅方向の中央を通り前記筐体の長手方向に延在する仮想線に直交している、
請求項８記載の撮像装置。
【請求項１０】
前記筐体の長手方向の一方の端部に前記対物レンズの光軸と平行する仮想線を中心軸とする環状の軸受け部が設けられ、
前記回転体は前記軸受け部の外周に回転可能に支持され、
前記光学ファインダーとして機能する前記回転体の内側空間は、前記軸受け部の内側空間である、
請求項８記載の撮像装置。
【請求項１１】
前記筐体は、把持される細長形状の本体部と、前記本体部の端部に設けられ前記回転体の軸方向の一方の面を覆う環状のハウジング部を含んで構成されている、
請求項７記載の撮像装置。
【請求項１２】
前記筐体は、把持される細長形状の本体部と、前記本体部の端部に設けられ前記回転体の軸方向の両方の面を覆う環状のハウジング部を含んで構成されている、
請求項７記載の撮像装置。
【請求項１３】
前記筐体は、把持される細長形状の本体部と、前記本体部の端部に設けられ前記回転体の軸方向の両方の面を覆う環状のハウジング部を含んで構成され、
前記本体部の端部は、前記環状のハウジング部の一部となっている、
請求項７記載の撮像装置。
【発明の詳細な説明】
【技術分野】
【０００１】
本発明は撮像装置に関する。
【背景技術】
【０００２】
デジタルスチルカメラやカメラ付き携帯電話機などの撮像装置として、外装を構成する筐体を有し、撮像光学系を構成する対物レンズ（撮像レンズ）とシャッタースイッチとが前記筐体の厚さ方向の異なる面に設けられたものが提供されている（特許文献１参照）。
【０００３】
【特許文献１】特開２００４−２２２０１７
【発明の開示】
【発明が解決しようとする課題】
【０００４】
ところで、近年、撮像装置の小型化に伴い、筐体表面の面積が縮小する傾向にあることから、上述の撮像装置においては、筐体を把持した際に指が対物レンズに近接した箇所に位置せざるを得ないことから、筐体を把持する際に指が対物レンズを覆わない箇所に位置させるように注意しなくてはならず、撮像時の操作性の低下を招いている。
一方、対物レンズの外周に位置する筐体部分に他の筐体の表面よりも突出した環状の突出部を設け、指が突出部に触れることで対物レンズを覆わない位置に指を案内するようにした構造も提案されているが、撮像時の操作性の向上を図る上では依然として不利があるばかりでなく、このような突出部を設けることでデザイン性の自由度が制約される不利がある。
本発明は、このような事情に鑑みなされたものであり、筐体の小型化を図れ、撮像時の操作性の向上を図りつつデザイン性の自由度を確保する上で有利な撮像装置を提供することを目的とする。
【課題を解決するための手段】
【０００５】
上述の目的を達成するため、本発明は、外装を構成する細長形状の筐体と、前記筐体に組み込まれた撮像素子と、前記筐体に組み込まれ被写体像を前記撮像素子に導く撮像光学系と、前記筐体に設けられ撮像動作を行わせるシャッターボタンとを備える撮像装置であって、前記撮像装置によって撮像を行う撮像者の手によって把持される前記筐体の部分と前記シャッターボタンとは前記筐体の長手方向に変位した箇所に位置し、前記撮像光学系のうち最も被写体側に位置する対物レンズが、前記シャッターボタンが設けられた前記筐体の面と同じ面で、かつ、前記シャッターボタンの近傍で前記シャッターボタンを挟んで前記把持される前記筐体の部分と反対側の箇所に設けられていることを特徴とする。
【発明の効果】
【０００６】
そのため、本発明によれば、筐体を把持してシャッターボタンに指をあてがった状態では、シャッターボタンにあてがった指は対物レンズから離間した箇所に位置するので、筐体を把持する際に指を、対物レンズを覆わない箇所に位置させるように注意する必要が無く操作性の向上を図る上で有利となる。
【発明を実施するための最良の形態】
【０００７】
（第１の実施の形態）
次に本発明の実施の形態について図面を参照して説明する。
図１は本実施の形態の撮像装置１０の使用状態を示す斜視図である。
図２（Ａ）は撮像装置１０の正面図、（Ｂ）は（Ａ）のＢ矢視図、（Ｃ）は（Ａ）のＣ矢視図、図３は図２（Ａ）のＤ矢視図、図４は図２（Ａ）のＥ矢視図、図５は図２（Ａ）のＦ矢視図である。
図６は撮像装置１０の分解斜視図である。
図７（Ａ）は撮像装置１０が装着されるクレードル１００の斜視図、（Ｂ）は撮像装置１０が装着されたクレードル１００の斜視図である。
図８は撮像装置１０の制御系を示すブロック図、図９は撮像装置１０の動作フローチャートである。
【０００８】
まず、図８を参照して撮像装置１０の制御系の構成について説明する。
本実施の形態では、撮像装置１０は記録媒体に対して撮像した静止画などの画像データを記録し、また、記録媒体からそれらのデータを再生するデジタルスチルカメラである。
撮像装置１０は外装を構成する筐体１２（図１）を有し、筐体１２には撮像光学系１４が組み込まれたレンズ鏡筒１６が設けられ、レンズ鏡筒１６の後端には撮像光学系１４によって導かれた被写体像を撮像して撮像信号を生成するＣＣＤやＣＭＯＳセンサなどで構成された撮像素子１８が設けられている。
また、撮像装置１０は、信号処理部２０、記録媒体２２、シャッタースイッチ２４、インターフェース２６、ＵＳＢコネクタ２８、制御部３０、発電部３２、電源部３４、充電部３６、充電表示部３８、タイマー表示部４０などを含んで構成されている。
【０００９】
信号処理部２０は、撮像素子１８から生成された撮像信号に所定の信号処理を行うことで画像データを生成するものである。
記録媒体２２は、信号処理部２２にから供給される画像データが記録されるものであり、記録媒体２２に記録された画像データは制御部３０の制御によって読み出されてインターフェース２６に供給される。
記録媒体２２は、筐体１２に取り出し不能に組み込まれていてもよく、あるいは、記録媒体２２をメモリカードとし該メモリカードを筐体１２に設けたカードスロットを介して装脱可能に設けるようにしてもよい。
シャッタースイッチ２４は、シャッターボタン２５が操作されることによって後述する電源部３４から制御部３０への電力供給を開始させることで制御部３０を起動させるものである。そして、この制御部３０の起動により画像データの記録媒体２２への記録動作、言い換えると撮像動作が実行される。
したがって、シャッタースイッチ２４は、画像データの記録媒体２２への記録を実行させるいわゆるシャッタースイッチ（レリーズスイッチ）の機能と、撮像装置１０の電源を投入する電源スイッチの機能とを兼ね備えたものである。
インターフェース２６は記録媒体２２から読み出された画像データをＵＳＢインターフェース規格に基づいた信号に変換してＵＳＢコネクタ２８に供給するものである。
インターフェース２６は、ＵＳＢコネクタ２８がクレードル１００のＵＳＢコネクタ１０２に接続されることでクレードル１００を介してホスト装置であるパーソナルコンピュータ２００との間でデータ通信を行うものである。
また、インターフェース２６は、ＵＳＢコネクタ２８がクレードル１００を介して外部のパーソナルコンピュータ２００に接続された際に、パーソナルコンピュータ２００から受電した電力に基づいて記録媒体２２からの画像データの読み出しとデータ通信動作を行う。
【００１０】
制御部３０は、前述したようにシャッタースイッチ２４の動作によって起動して画像データの記録媒体２２への記録動作を制御する。すなわち、制御部３０は、シャッタースイッチ２４の動作によって起動されると所定時間が経過したのち（本実施の形態では２秒経過したのち）、画像データの記録媒体２２への記録動作を実行する。つまり、シャッターボタン２５を押圧操作してから所定時間経過したのち記録動作を行うので、シャッターボタン２５を押圧操作した直後に生じやすい手振れが収まったのちに、画像データの記録媒体２２への記録動作をなされることになるため、撮像時の手振れ（像振れ）を効果的に防止する上で有利となっている。
また、制御部３０は、シャッタースイッチ２４の動作によってタイマー表示部４０を点灯させ、画像データの記録媒体２２への記録動作が終了したのちタイマー表示部４０を滅灯させる。すなわち、シャッターボタン２５が押圧操作されると、所定時間（本実施の形態では２秒）、タイマー表示部４０が点灯する。
このようなタイマー表示部４０の点灯動作によって、画像データの記録媒体２２への記録動作の開始および終了が表示されるため、ユーザーは撮像動作の開始と終了を容易にかつ確実に視認することができ、操作性の向上を図る上で有利となる。
本実施の形態では、タイマー表示部４０は１つの発光素子で構成され、図３に示すように、発光素子としてオレンジ色で発光する発光ダイオード４０Ａが用いられている。
【００１１】
発電部３２は、後述する回転体５０の回転によって発電を行うものである。
電源部３４は、発電部３２で発電された電力を充電部３６に供給すると共に、充電部３６に充電された電力を撮像素子１８、信号処理部２０、記録媒体２２、制御部３０に供給することで撮像動作を行わせるものである。
充電部３６は、電源部３４から供給された電力を充電するものであり、充電部３６として、従来公知のキャパシタ（コンデンサ）あるいは２次電池が採用可能である。
充電表示部３８は、充電部３６に充電された電力（電荷）の大きさを段階的に表示するものである。
本実施の形態では、充電表示部３８は５つの発光素子を含んで構成され、図３に示すように、５つの発光素子のうち４つの発光素子は緑色で発光する発光ダイオード３８Ａ、３８Ｂ、３８Ｃ、３８Ｄで構成され、残りの１つの発光素子はオレンジ色で発光する発光ダイオード３８Ｅで構成されている。
そして、充電表示部３８による表示動作は次のようになされる。
すなわち、回転体５０が回転されると、発電部３２によって発電された電力が電源部３４を介して充電部３６に充電されていき、充電部３６に充電された電力が大きくなるに従って、５つの発光ダイオード３８Ａ、３８Ｂ、３８Ｃ、３８Ｄ、３８Ｅがこれらの順番で１つずつ点灯する。
具体的には、充電部３６に充電がなされていない状態では、全ての発光ダイオード３８Ａ、３８Ｂ、３８Ｃ、３８Ｄ、３８Ｅが滅灯している。
そして、充電部３６に充電される電力が増加するにつれて、まず１つの発光ダイオード３８Ａが点灯し、次に２つの発光ダイオード３８Ａ、３８Ｂが点灯し、次に３つの発光ダイオード３８Ａ、３８Ｂ、３８Ｃが点灯し、次に４つの発光ダイオード３８Ａ、３８Ｂ、３８Ｃ、３８Ｄ、３８Ｅが点灯し、最後に５つの発光ダイオード３８Ａ、３８Ｂ、３８Ｃ、３８Ｄ、３８Ｅの全てが点灯する。
このように５つの発光ダイオード３８Ａ、３８Ｂ、３８Ｃ、３８Ｄ、３８Ｅの全てが点灯することで、充電部３６に充電された電力が前記の撮像動作を行うに足りる大きさになったことが表示される。
【００１２】
次に撮像装置１０の構成について説明する。
図１に示すように、筐体１２は細長形状を呈し、長さ方向と直交する面で切った断面が略矩形状を呈している。なお、本明細書においては被写体側を前方としその反対側を後方とし、左右は被写体側から見ていうものとする。
本実施の形態では、筐体１２は、長さよりも小さい均一の寸法の幅と、この幅よりも小さい寸法の均一の厚さを有し、厚さ方向の一方の面が前面１２Ａとなっており、厚さ方向の他方の面が前面１２Ａと平行する後面１２Ｂとなっており、前面１２Ａと後面１２Ｂの幅方向の両側を接続する面が左右の側面１２Ｃ、１２Ｄとなっており、長さ方向の一端は底面１２Ｅとなっている。
【００１３】
撮像光学系１４は、最も被写体側に位置する対物レンズ１４Ａを有している。
撮像装置１０によって撮像を行う撮像者の手によって把持される筐体１２の部分とシャッターボタン２５とは筐体１２の長手方向に変位した箇所に位置している。
また、対物レンズ１４Ａは、シャッターボタン２５が設けられた筐体１２の面と同じ面で、かつ、シャッターボタン２５の近傍でシャッターボタン２５を挟んで把持される筐体１２の部分と反対側の箇所に設けられている。
より詳細に説明すると、対物レンズ１４Ａは、筐体１２の長手方向の一方の端部寄りの箇所に設けられ、本実施の形態では、前面１２Ａの上端寄りの箇所に設けられている。
対物レンズ１４Ａは、筐体１２の幅方向の中央に設けられ、対物レンズ１４Ａの光軸は、筐体１２の長手方向と直交する方向に延在している。
【００１４】
シャッターボタン２５は、対物レンズ１４Ａが設けられた筐体１２の面（前面１２Ａ）と同じ面で、かつ、対物レンズ１４Ａの近傍で対物レンズ１４Ａよりも筐体１２の長手方向の他方の端部側の箇所に設けられ、本実施の形態では、対物レンズ１４Ａの近傍で対物レンズ１４Ａの下方の箇所に設けられている。
シャッターボタン２５は、筐体１２の幅方向の中央に設けられている。
【００１５】
筐体１２は、図１に示すように、対物レンズ１４Ａが設けられた筐体１２の面と反対の面である後面１２Ｂに親指をあてがい、対物レンズ１４Ａが設けられた筐体１２の面と同じ面でシャッターボタン２５が設けられた箇所よりも筐体１２の長手方向の他方の端部側の部分に小指、薬指、中指をあてがった状態で把持できる大きさで形成されている。
そして、シャッターボタン２５は、このように親指、小指、薬指、中指により筐体１２の部分が把持された状態で、人差し指により押圧操作可能な箇所に設けられている。
さらに、対物レンズ１４Ａとシャッターボタン２５は、親指、小指、薬指、中指により筐体１２の部分が把持され、人差し指がシャッターボタン２５上に位置した状態で、対物レンズ１４Ａが人差し指の輪郭の外側に位置するように離間して配置されている。
【００１６】
また、筐体１２の長手方向の一方の端部である上端に、回転可能に環状の回転体５０が設けられている。
この回転体５０は、回転されることにより電力を発生する発電部３２の一部を構成している。
回転体５０は、筐体１２の上端に設けられた環状の軸受け部５２の外周により回転可能に支持されている。
軸受け部５２は、筐体１２の幅方向の中央を通り筐体１２の長手方向に延在する第１の仮想線に直交する第２の仮想線を中心軸として環状に設けられ、軸受け部５２の中心軸と対物レンズ１４Ａの光軸とは平行している。
したがって、回転体５０は、対物レンズ１４Ａの光軸と平行する仮想線を中心軸として回転可能であり、回転体５０の内側空間が撮像すべき被写体を視認するための光学ファインダーとして機能しており、本実施の形態では、軸受け部５２の内側空間５４が、撮像すべき被写体を視認するための光学ファインダーとして機能している。
【００１７】
なお、筐体１２、回転体５０、軸受け部５２などからなる撮像装置１０を構成するにあたりさまざまな部材の組み合わせが考えられる。
その一例を説明すると、例えば、図６に示すように、筐体１２は、合成樹脂製の前分割体１２０２と、合成樹脂製の後分割体１２０４とで構成される。
後分割体１２０４の上端に、環状のハウジング部１２０６が一体に形成されている。
筐体１２の内部に、アルミなどの金属からなるフレーム１２０８が配置される。
フレーム１２０８は、直線状の本体部１２１０と、本体部１２１０の端部に連設された環板部１２１２とを備えている。
なお、本実施の形態では、把持される細長形状の本体部が、前分割体１２０２と後分割体１２０４とで構成されて、前記本体部の端部に設けられ回転体５０の軸方向の一方の面を覆う環状のハウジング部がハウジング部１２０６で構成されている。
【００１８】
フレーム１２０８の本体部１２１０の内部に、発電部３２と充電部３６が配置される。
発電部３２は、ダイナモ３２０２と、ダイナモ３２０２に連結されたギア機構３２０４と、ギア機構３２０４の入力軸３２０６に設けられた小径ギア３２０８と、小径ギア３２０８に噛合する大径ギア３２１０などを備えている。このような小径ギア３２０８、大径ギア３２１０としてかさ歯車やまがりばかさ歯車などが使用可能である。なお、図６において小径ギア３２０８と大径ギア３２１０が噛合している状態を示しているが、ダイナモ３２０２、ギア機構３２０４、入力軸３２０６、小径ギア３２０８は単一の部材として構成され、センターホイール５００２や大径ギア３２１０から切り離されている。
回転体５０は、センターホイール５００２、ホイール５００４、ゴム環５００６、インナーゴム５００８、リアホイール５０１０などを備えている。
センターホイール５００２は、アルミなどの金属から環状に形成され、大径ギア３２１０がその内周部に取着され、センターホイール５００２と大径ギア３２１０は一体に回転可能にボールベアリング５０１２で支持されている。ボールベアリング５０１２のアウターレースは環板部１２１２で支持される。
ホイール５００４は、小径部５００４Ａと大径部５００４Ｂとを有し、大径部５００４Ｂがセンターホイール５００２に嵌着される。
ゴム環５００６は、ホイール５００４の大径部５００４Ｂに嵌着される。
【００１９】
ホイール５００４の小径部５００４Ａはセンターホイール５００２の内周部に挿入される。
また、センターホイール５００２の内周部にはリアホイール５０１０が挿入される。
インナーゴム５００８は筒状を呈し、インナーゴム５００８は、ホイール５００４の小径部５００４Ａの内周部に挿入されると共に、リアホイール５０１０の内周部に挿入される。
そして、図２（Ａ）に示すように、インナーゴム５００８の一方の端部の環状部５００８Ａは、ホイール５００４の端面の凹部に係合される。
また、図３に示すように、インナーゴム５００８の他方の端部の環状部５００８Ｂは、リアホイール５０１０の端面の凹部に係合される。
したがって、本実施の形態では、回転体５０がセンターホイール５００２、ホイール５００４、ゴム環５００６などにより構成され、軸受け部５２がボールベアリング５０１２で構成されている。
なお、前分割体と後分割体の結合は、突起と凹部とによる嵌め込み式であってもよく、あるいは、ねじを用いたねじ結合であってもよく、従来公知のさまざまな結合構造が採用可能である。
【００２０】
なお、図６において、符号５０２０は発光ダイオード３８Ａ、３８Ｂ、３８Ｃ、３８Ｄ、３８Ｅ、４０Ａが実装されたプリント基板を示しており、このプリント基板５０２０は環板部１２１２の鍔部１２１２Ａに配置される。
また、符号５０２２は発光ダイオード３８Ａ、３８Ｂ、３８Ｃ、３８Ｄ、３８Ｅの光を導く導光部材を示し、符号５０２４は発光ダイオード４０Ａの光を導く導光部材を示し、これら導光部材５０２２、５０２４はハウジング部１２０６の内周に配置され、各発光ダイオード３８Ａ、３８Ｂ、３８Ｃ、３８Ｄ、３８Ｅ、４０Ａの光は導光部材５０２２、５０２４を介してハウジング部１２０６に形成された６つの窓部１２０６Ａに導かれる。
また、符号５０２６は、上分割体１２０２に収容されるプリント配線基板を示し、このプリント配線基板５０２４には、レンズ鏡筒１６、シャッタースイッチ２４、信号処理部２０、記録媒体２２、インターフェース２６、ＵＳＢコネクタ２８、電源部３４などが設けられている。
ＵＳＢコネクタ２８は、図５に示すように、筐体１２の底面１２Ｅの中央に設けられている。
また、符号５０２８は上分割体１２０２のセンターホイール５００２寄りの箇所に設けられ、上分割体１２０２とセンターホイール５００２との隙間を覆う目隠し片である。
また、符号５０３０はシャッターボタン２５が設けられた操作片であり、操作片５０３０は、図２（Ａ）に示すように、上分割体１２０２の窓部１２５０からシャッターボタン２５が外方に臨むように上分割体１２０２の内面に配置されている。
【００２１】
図７（Ａ）に示すように、クレードル１００は、ほぼ円形の底面１００Ａと、この底面１００Ａよりも大きな輪郭のほぼ円形の上面１００Ｂと、底面１００Ａと上面１００Ｂとを接続する円錐面１００Ｃとを有し、裁頭円錐状を呈している。
上面１００Ｂの中央には上方に開放状の係合凹部１１０が設けられ、底面１００Ａからはクレードル１００のＵＳＢコネクタ１０２に一端が接続され他端がパーソナルコンピュータ２００（図８）のＵＳＢコネクタに接続される接続ケーブル１００Ｄが設けられている。
図７（Ｂ）に示すように、撮像装置１０とパーソナルコンピュータ２００とを接続する場合には、撮像装置１０をクレードル１００の係合凹部１１０に挿入し、撮像装置１０のＵＳＢコネクタ２８を係合凹部１１０の底部に設けられたＵＳＢコネクタ１０２に接続する。
これにより、インターフェース２６は、ＵＳＢコネクタ２８、１０２を介してパーソナルコンピュータ２００に接続されることによりパーソナルコンピュータ２００から受電した電力に基づいて記録媒体２２からの画像データの読み出しとデータ通信動作を行い、記録媒体２２から読み出した画像データをＵＳＢインターフェース規格に基づいた信号に変換しＵＳＢコネクタ２８、１０２を介してホスト装置であるパーソナルコンピュータ２００に伝送する。
【００２２】
次に撮像装置１０の使用方法について説明する。
撮像に先立って充電を行うため、撮像装置１０の筐体１２を把持し、回転体５０を机の上面や部屋の壁面に当て付けた状態で筐体１２を動かし、回転体５０を回転させることにより充電操作を行う（ステップＳ１０）。
すなわち、回転体５０の回転により大径ギア３２１０、小径ギア３２０８、ギア機構３２０４を介して、ダイナモ３２０２が駆動されることで発電がなされ、充電部３６が充電される。
充電部３６によって充電された電力が撮像動作に足る大きさとなったことが充電表示部３８によって表示されたならば、回転体５０の回転操作を停止する。
【００２３】
充電部３６が充電されたならば、図１に示すように、筐体１２の後面１２Ｂに親指をあてがい、シャッターボタン２５が設けられた箇所よりも筐体１２の長手方向の他方の端部側の前面１２Ａ部分に小指、薬指、中指をあてがった状態で筐体１２を把持する。
そして、対物レンズ１４Ａが設けられた前面１２Ａを被写体側に向け、軸受け部５２の内側空間５４を光学ファインダーとして使用し被写体を視認して構図を決定し、人差し指でシャッターボタン２５を押圧操作する（ステップＳ１２）。
これにより撮像動作が実行される。すなわち、シャッターボタン２５が押圧操作されるとシャッタースイッチ２４が動作し、シャッタースイッチ２４により制御部３０が起動される。
そして、制御部３０の制御により、シャッターボタン２５が押圧操作されてから所定時間が経過したのち、信号処理部２０からの画像データの記録媒体２２への記録動作が実行される（ステップＳ１４）。
また、シャッターボタン２５の押圧操作と同時に制御部３０の制御によりタイマー表示部４０による表示動作がなされる。すなわち、シャッターボタン２５の押圧操作と同時にタイマー表示部４０の点灯が開始され、所定時間が経過したのち滅灯する（ステップＳ１６）。
【００２４】
以上説明したように本実施の形態によれば、対物レンズ１４Ａが筐体１２の長手方向の一方の端部寄りの箇所に設けられ、シャッターボタン２５が、対物レンズ１４Ａが設けられた筐体１２の面と同じ面で、かつ、対物レンズ１４Ａの近傍で対物レンズ１４Ａよりも筐体１２の長手方向の他方の端部側の箇所に設けられているので、筐体１２を把持してシャッターボタン２５に指をあてがった状態では、指が対物レンズ１４Ａから離間した箇所に位置する。
したがって、撮像装置１０の小型化に伴い、筐体１２を把持する部分の面積が狭い場合であっても、筐体１２を把持する際に指を、対物レンズ１４Ａを覆わない箇所に位置させるように注意する必要が無く、撮像時の操作性の向上を図る上で有利となる。
また、従来のように、対物レンズの外周に位置する筐体部分に他の筐体の表面よりも突出した環状の突出部を設ける必要がないため、筐体１２のデザイン性の自由度を確保する上で有利となる。
【００２５】
また、本実施の形態では、回転体５０と発電部３２を用いて充電部３６に充電した電力により撮像装置を動作させるため、例えば、バッテリー（２次電池）を充電するための電源が無い環境、言い換えると、電気がきていない環境においても撮像することができる。
また、回転体５０（軸受け部５２）の内側空間を撮像すべき被写体を視認するための光学ファインダーとして利用できるため、簡単な構造で安価な撮像装置を提供する上で有利となる。
【００２６】
（第２の実施の形態）
次に第２の実施の形態について説明する。
図１０（Ａ）は携帯電話機６０の表面の斜視図、（Ｂ）は携帯電話機６０の裏面の斜視図を示す。
第２の実施の形態では、本発明の撮像装置を携帯電話機に適用したものである。
携帯電話機６０は扁平な矩形板状の筐体６２を有しており、筐体６２に撮像装置が組み込まれている。
第２の実施の形態では、携帯電話機６０の筐体６２が撮像装置の筐体を兼ねており、撮像装置は第１の実施の形態と同様に撮像素子と、対物レンズ６４を有する撮像光学系と、シャッターボタン６６などを含んで構成されている。
【００２７】
筐体６２の厚さ方向の一方の面が表面６２Ａとなっており、この表面６２Ａに、画像や文字を表示するためのディスプレイパネル６８と、携帯電話機６０を操作するためのテンキーおよび機能キーを含む複数の操作キー７０が設けられている。
筐体６２の厚さ方向の他方の面が裏面６２Ｂとなっており、対物レンズ６４Ａはこの裏面６２Ｂの長手方向の一方の端部寄りの箇所に設けられ、シャッターボタン６６は対物レンズ６４の近傍で対物レンズ６４よりも筐体６２の長手方向の他方の端部側の箇所の裏面６２Ｂに設けられている。
対物レンズ６４の光軸は裏面６２Ｂと直交しており、対物レンズ６４およびシャッターボタン６６は裏面６２Ｂの幅方向の中央に位置している。
【００２８】
そして、筐体６２は、筐体６２の表面に親指をあてがい、シャッターボタン６６が設けられた箇所よりも筐体６２の長手方向の他方の端部側の表面部分に小指、薬指、中指をあてがった状態で把持できる大きさで形成されている。
また、シャッターボタン６６は、このように親指、小指、薬指、中指により筐体６２の部分が把持された状態で、人差し指により押圧操作可能な箇所に設けられている。
さらに、対物レンズ６４とシャッターボタン６６は、親指、小指、薬指、中指により筐体６２の部分が把持され、人差し指がシャッターボタン６６上に位置した状態で、対物レンズ６６が人差し指の輪郭の外側に位置するように離間して配置されている。
このような第２の実施の形態によっても第１の実施の形態と同様に、携帯電話機６０の小型化に伴い、筐体６２を把持する部分の面積が狭い場合であっても、筐体６２を把持する際に指を、対物レンズ６４を覆わない箇所に位置させるように注意する必要が無く、撮像時の操作性の向上を図る上で有利となる。
また、従来のように、対物レンズ６４の外周に位置する筐体６２部分に他の筐体６２の表面よりも突出した環状の突出部を設ける必要がないため、筐体６２のデザイン性の自由度を確保する上で有利となる。
【００２９】
（第３の実施の形態）
次に第３の実施の形態について説明する。
図１１（Ａ）は携帯電話機７０の表面の斜視図、（Ｂ）は携帯電話機７０の裏面の斜視図を示す。
第３の実施の形態も第２の実施の形態と同様に本発明の撮像装置を携帯電話機に適用したものである。
【００３０】
筐体７１は扁平な直方体状の第１筐体７２と第２筐体７４とで構成され、それら筐体７２、７４は長手方向にスライド可能に結合されている。
撮像装置は第２筐体７４に組み込まれ、第３の実施の形態では、携帯電話機の第２筐体７４が撮像装置の筐体を兼ねており、撮像装置は第１の実施の形態と同様に撮像素子と、対物レンズ７６を有する撮像光学系と、シャッターボタン７８などを含んで構成されている。
【００３１】
第１筐体７２の厚さ方向の一方の面が表面７２Ａとなっており、この表面７２Ａにディスプレイパネル８０が設けられている。
第２筐体７４の厚さ方向の一方の面が表面７４Ａとなっており、この表面７４Ａに複数の操作キー８２が設けられている。
第２筐体７４の厚さ方向の他方の面が裏面７４Ｂとなっており、対物レンズ７６はこの裏面７４Ｂの長手方向の一方の端部寄りの箇所に設けられ、シャッターボタン７８は対物レンズ７６の近傍で対物レンズ７６よりも第２筐体７４の長手方向の他方の端部側の箇所の裏面７４Ｂに設けられている。
対物レンズ７６の光軸は裏面７４Ｂと直交しており、対物レンズ７６及びシャッターボタン７８は裏面の幅方向の中央に位置している。
【００３２】
そして、第２筐体７４は、第２筐体７４の表面に親指をあてがい、シャッターボタン７８が設けられた箇所よりも第２筐体７４の長手方向の他方の端部側の表面部分に小指、薬指、中指をあてがった状態で把持できる大きさで形成されている。
また、シャッターボタン７８２５は、このように親指、小指、薬指、中指により第２筐体７４の部分が把持された状態で、人差し指により押圧操作可能な箇所に設けられている。
さらに、対物レンズ７６とシャッターボタン７８は、親指、小指、薬指、中指により第２筐体７４の部分が把持され、人差し指がシャッターボタン７８上に位置した状態で、対物レンズ７６が人差し指の輪郭の外側に位置するように離間して配置されている。
このような第３の実施の形態によっても第２の実施の形態と同様に、携帯電話機７０の小型化に伴い、筐体７１（第２筐体７４）を把持する部分の面積が狭い場合であっても、筐体７１（第２筐体７４）を把持する際に指を、対物レンズ７６を覆わない箇所に位置させるように注意する必要が無く、撮像時の操作性の向上を図る上で有利となる。
また、従来のように、対物レンズ７６の外周に位置する筐体部分に他の筐体の表面よりも突出した環状の突出部を設ける必要がないため、筐体７１のデザイン性の自由度を確保する上で有利となる。
【００３３】
（第４の実施の形態）
次に第４の実施の形態について説明する。
第４の実施の形態は、第１の実施の形態の撮像装置１０の変形例である。
図１２、図１３は第４の実施の形態の撮像装置１０の斜視図である。
図１４（Ａ）は撮像装置１０の正面図、（Ｂ）は（Ａ）のＢ矢視図、（Ｃ）は（Ａ）のＣ矢視図、図１５（Ａ）は図１４（Ａ）のＤ矢視図、（Ｂ）は（Ａ）のＥ矢視図である。
図１６は第４の実施の形態の撮像装置１０の分解斜視図である。
図１７は第４の実施の形態の撮像装置１０の制御系を示すブロック図である。
なお、以下の実施の形態において第１の実施の形態と同一または対応する部分、部材には同一の符号を付して説明する。
【００３４】
図１７に示すように、撮像装置１０は第１の実施の形態と同様に記録媒体に対して撮像した静止画などの画像データを記録し、また、記録媒体からそれらのデータを再生するデジタルスチルカメラである。
撮像装置１０は外装を構成する筐体１２（図１２、図１３）を有し、筐体１２には撮像光学系１４が組み込まれたレンズ鏡筒１６が設けられている。レンズ鏡筒１６の後端には撮像光学系１４によって導かれた被写体像を撮像して撮像信号を生成するＣＣＤやＣＭＯＳセンサなどで構成された撮像素子１８が設けられている。
また、撮像装置１０は、第１の実施の形態と同様に、信号処理部２０、記録媒体２２、シャッタースイッチ２４、制御部３０、発電部３２、電源部３４、充電部３６、充電表示部３８、タイマー表示部４０などを含んで構成されている。
さらに、第４の実施の形態では、図１に示す第１の実施の形態のインターフェース２６、ＵＳＢコネクタ２８に代えて、メモリカード用インターフェース２１、メモリカード用コネクタ２３を備えている。
【００３５】
メモリカード用インターフェース２１は、信号処理部２２にから供給される画像データをメモリカード用コネクタ２３に装着された記録媒体としてのメモリカード２２Ａ（図１６）に記録するものである。また、メモリカード用インターフェース２１は、メモリカード２２Ａに記録された画像データを読み出して制御部３０に供給するものである。
メモリカード用コネクタ２３は、図１３に示すように、筐体１２に設けられたカードスロット２３Ａの内側に配置され、メモリカード２２Ａが装脱可能に装着されるものである。
【００３６】
制御部３０は、シャッタースイッチ２４の動作によって起動して画像データのメモリカード２２Ａへの記録動作を制御する。
この際、制御部３０は、第１の実施の形態と同様に、シャッタースイッチ２４の動作によって起動されると所定時間が経過したのち、画像データのメモリカード２２Ａへの記録動作を実行する。
第４の実施の形態では、第１の実施の形態とタイマー表示部４０の点灯動作が異なっている。
すなわち、制御部３０は、シャッタースイッチ２４の動作によってタイマー表示部４０を所定時間（例えば２秒間）点滅させたのち撮像し、メモリカード２２Ａへの記録動作を行っている間タイマー表示部４０を点灯させ、記録動作が終了したのちタイマー表示部４０を滅灯する。
第４の実施の形態においても、このようなタイマー表示部４０の点灯動作によって、画像データのメモリカード２２Ａへの記録動作の開始および終了が表示されるため、ユーザーは撮像動作の開始と終了を容易にかつ確実に視認することができ、操作性の向上を図る上で有利となる。
本実施の形態では、タイマー表示部４０は１つの発光素子で構成され、図１２に示すように、発光素子としてオレンジ色で発光する発光ダイオード４０Ａが用いられている。
【００３７】
発電部３２は、回転体５０の回転によって発電を行うものである。
電源部３４は、発電部３２で発電された電力を充電部３６に供給すると共に、充電部３６に充電された電力を撮像素子１８、信号処理部２０、メモリカード２２Ａ、制御部３０に供給することで撮像動作を行わせるものである。
充電部３６は、電源部３４から供給された電力を充電するものであり、充電部３６として、従来公知のキャパシタ（コンデンサ）あるいは２次電池が採用可能である。
充電表示部３８は、充電部３６に充電された電力（電荷）の大きさを段階的に表示するものである。
第４の実施の形態では、充電表示部３８を構成する５つの発光素子の発光色が第１の実施の形態と相違している。
図１２に示すように、５つの発光素子のうち４つの発光素子はオレンジ色で発光する発光ダイオード３８Ａ、３８Ｂ、３８Ｃ、３８Ｄで構成され、残りの１つの発光素子は緑色で発光する発光ダイオード３８Ｅで構成されている。
また、充電表示部３８による表示動作も第１の実施の形態と相違しており、次のようになされる。
すなわち、回転体５０が回転されると、発電部３２によって発電された電力が電源部３４を介して充電部３６に充電されていき、充電部３６に充電された電力が大きくなるに従って、５つの発光ダイオード３８Ａ、３８Ｂ、３８Ｃ、３８Ｄ、３８Ｅがこれらの順番で１つずつ点灯する。
具体的には、充電部３６に充電がなされていない状態では、全ての発光ダイオード３８Ａ、３８Ｂ、３８Ｃ、３８Ｄ、３８Ｅが滅灯している。
そして、充電部３６に充電される電力が増加するにつれて、まず１つの発光ダイオード３８Ａがオレンジ色で点灯し、次に２つの発光ダイオード３８Ａ、３８Ｂがオレンジ色で点灯し、次に３つの発光ダイオード３８Ａ、３８Ｂ、３８Ｃがオレンジ色で点灯し、次に４つの発光ダイオード３８Ａ、３８Ｂ、３８Ｃ、３８Ｄがオレンジ色で点灯し、最後に１つの発光ダイオード３８Ｅのみが緑色の光で点灯する。
このように１つの発光ダイオード３８Ｅが緑色の光で点灯することで、充電部３６に充電された電力が前記の撮像動作を行うに足りる大きさになったことが表示される。
この場合、第１の実施の形態のように５つの発光ダイオードの全てが点灯しないため、省電力化を図る上で有利となっている。
【００３８】
次に撮像装置１０の構成について説明する。
図１２、図１３に示すように、筐体１２は細長形状を呈し、長さ方向と直交する面で切った断面が略矩形状を呈している。
第４の実施の形態では、筐体１２は、長さよりも小さい均一の寸法の幅と、この幅よりも小さい寸法の均一の厚さを有している。
図１４（Ａ）、（Ｃ）に示すように、厚さ方向の一方の面が前面１２Ａとなっており、厚さ方向の他方の面が前面１２Ａと平行する後面１２Ｂとなっており、前面１２Ａと後面１２Ｂの幅方向の両側を接続する面が左右の側面１２Ｃ、１２Ｄとなっており、長さ方向の一端は底面１２Ｅとなっている。
【００３９】
撮像光学系１４は、最も被写体側に位置する対物レンズ１４Ａを有している。
撮像装置１０によって撮像を行う撮像者の手によって把持される筐体１２の部分とシャッターボタン２５とは筐体１２の長手方向に変位した箇所に位置している。
また、対物レンズ１４Ａは、シャッターボタン２５が設けられた筐体１２の面と同じ面で、かつ、シャッターボタン２５の近傍でシャッターボタン２５を挟んで把持される筐体１２の部分と反対側の箇所に設けられている。
より詳細に説明すると、対物レンズ１４Ａは、筐体１２の長手方向の一方の端部寄りの箇所に設けられ、本実施の形態では、前面１２Ａの上端寄りの箇所に設けられている。
対物レンズ１４Ａは、筐体１２の幅方向の中央に設けられ、対物レンズ１４Ａの光軸は、筐体１２の長手方向と直交する方向に延在している。
図１３において、符号１５は、対物レンズ１４Ａの周囲に位置する前面１２Ａから前方に向けて円環状に膨出形成された膨出部を示す。
【００４０】
シャッターボタン２５は、対物レンズ１４Ａが設けられた筐体１２の面（前面１２Ａ）と同じ面で、かつ、対物レンズ１４Ａの近傍で対物レンズ１４Ａよりも筐体１２の長手方向の他方の端部側の箇所に設けられ、第１の実施の形態と同様に、対物レンズ１４Ａの近傍で対物レンズ１４Ａの下方の箇所に設けられている。
シャッターボタン２５は、筐体１２の幅方向の中央に設けられている。
【００４１】
図１３に示すように、筐体１２は、第１の実施の形態と同様に、対物レンズ１４Ａが設けられた筐体１２の面と反対の面である後面１２Ｂに親指をあてがい、対物レンズ１４Ａが設けられた筐体１２の面と同じ面でシャッターボタン２５が設けられた箇所よりも筐体１２の長手方向の他方の端部側の部分に小指、薬指、中指をあてがった状態で把持できる大きさで形成されている。
そして、シャッターボタン２５は、このように親指、小指、薬指、中指により筐体１２の部分が把持された状態で、人差し指により押圧操作可能な箇所に設けられている。
さらに、対物レンズ１４Ａとシャッターボタン２５は、親指、小指、薬指、中指により筐体１２の部分が把持され、人差し指がシャッターボタン２５上に位置した状態で、対物レンズ１４Ａが人差し指の輪郭の外側に位置するように離間して配置されている。
【００４２】
図１３、図１４に示すように、筐体１２の長手方向の一方の端部である上端に、回転可能に環状の回転体５０が設けられている。
この回転体５０は、回転されることにより電力を発生する発電部３２の一部を構成している。
回転体５０は、筐体１２の上端に設けられた軸受け部５２により回転可能に支持されている。
軸受け部５２は、筐体１２の幅方向の中央を通り筐体１２の長手方向に延在する第１の仮想線に直交する第２の仮想線を中心軸として環状に設けられ、軸受け部５２の中心軸と対物レンズ１４Ａの光軸とは平行している。
したがって、回転体５０は、対物レンズ１４Ａの光軸と平行する仮想線を中心軸として回転可能であり、回転体５０の内側空間が撮像すべき被写体を視認するための光学ファインダーとして機能しており、第４の実施の形態においても、軸受け部５２の内側空間５４が、撮像すべき被写体を視認するための光学ファインダーとして機能している。
【００４３】
第４の実施の形態では、図１３に示すように、筐体１２の底面１２Ｅに前記のカードスロット２３が設けられている。
また、図１３、図１５（Ａ）、（Ｂ）に示すように、底面１２Ｅのカードスロット２３の後方にストラップを吊り下げるための環状の吊り下げ具５６が設けられている。
【００４４】
次に、撮像装置１０を構成する各部材について説明する。
図１６に示すように、筐体１２は、合成樹脂製の前分割体９０と、合成樹脂製の後分割体９２とで構成される。
前分割体９０は、直線状に延在する前本体９０Ａと、前本体９０Ａの上端に一体形成された環状の前環状部９０Ｂとで構成されている。
後分割体９２は、直線状に延在する後本体９２Ａと、後本体９２Ａの上端に一体形成された環状の後環状部９２Ｂとで構成されている。
【００４５】
前環状部９０Ｂと後環状部９２Ｂとの間に、アルミなどの金属からなる円筒状のフレーム９４が配置される。
そして、前本体９０Ａと後本体９２Ａとが合わされ、かつ、前環状部９０Ｂと後環状部９２Ｂとの間に回転体５０が配置された状態で、前後の環状部９０Ｂ、９２Ｂがフレーム９４を介して取り付けられる。
なお、前分割体９０と後分割体９２の結合は、突起と凹部とによる嵌め込み式であってもよく、あるいは、ねじを用いたねじ結合であってもよく、従来公知のさまざまな結合構造が採用可能である。
本実施の形態では、前本体９０Ａと後本体９２Ａとにより、把持される細長形状の本体部が構成されている。
また、前後の環状部９０Ｂ、９２Ｂにより、回転体５０の軸方向の両方の面を覆う環状のハウジング部が構成され、前記本体部の端部は、前記環状のハウジング部の一部となっている。
このように、前環状部９０Ｂと後環状部９２Ｂとの間に回転体５０が配置されることで、前環状部９０Ｂと後環状部９２Ｂとの双方に部品を配置することができる。
すなわち、第１の実施の形態では、図１に示すように、対物レンズ１４Ａの配置箇所が、筐体１２のうち回転体５０の径方向外側に限定されていた。
これに対して、第４の実施の形態では、回転体５０の径方向内側に位置する前環状部９０Ｂの箇所に対物レンズ１４Ａや充電表示部３８を構成する５つの発光ダイオード３８Ａ、３８Ｂ、３８Ｃ、３８Ｄ、３８Ｅを配置することができる。
このように第４の実施の形態では、部品の配置の自由度を確保する上で有利となり、デザインの自由度を確保する上でも有利となっている。
【００４６】
前本体９０Ａと後本体９２Ａと間に、発電部３２と充電部３６が配置される。
発電部３２は、ダイナモ３２Ａと、ダイナモ３２Ａに連結されたギア機構３２Ｂと、ギア機構３２Ｂの入力軸に設けられた小径ギア３２Ｃと、小径ギア３２Ｃに噛合する大径ギア３２Ｄなどを備えている。
【００４７】
回転体５０は、ホイール５０Ａとゴム環５０Ｂなどを備えている。
ホイール５０Ａは、合成樹脂材料で環状に形成され、大径ギア３２Ｄがその内周部に取着されている。
ホイール５０Ａと大径ギア３２Ｄは一体に回転可能にボールベアリング９６で支持されている。
ボールベアリング９６の内側にはフレーム９４が配置され、ボールベアリング９６のインナーレースはフレーム９４で支持される。
ゴム環５０Ｃは、ホイール５０Ａに嵌着される。
【００４８】
したがって、第４の実施の形態では、回転体５０がホイール５０Ａ、ゴム環５０Ｂを含んで構成され、軸受け部５２がボールベアリング９６で構成されている。
【００４９】
なお、図１６において、符号５０２０は発光ダイオード３８Ａ、３８Ｂ、３８Ｃ、３８Ｄ、３８Ｅ、４０Ａが実装されたプリント基板を示し、符号５０２１はプリント基板５０２０を前環状部９０Ｂに取着する環状のブラケットを示す。
したがって、プリント基板５０２０は前環状部９０Ｂの内部に配置される。
また、符号５０２２は発光ダイオード３８Ａ、３８Ｂ、３８Ｃ、３８Ｄ、３８Ｅの光を導く導光部材を示し、各発光ダイオードごとに設けられている。なお、図１６では、１つの導光部材５０２２のみを示している。
各導光部材５０２２は、前環状部９０Ｂのうち前方に向いた部分に形成された５つの窓部９０Ｃに配置されている。
したがって、各発光ダイオード３８Ａ、３８Ｂ、３８Ｃ、３８Ｄ、３８Ｅの光は各導光部材５０２２を介して５つの窓部９０Ｃ（図１２）に導かれる。
【００５０】
また、符号５０２３は発光ダイオード４０が実装されたプリント基板を示し、符号５０２４は発光ダイオード４０Ａの光を導く導光部材を示している。
導光部材５０２４は、前環状部９０Ｂおよび後環状部９２Ｂのうち内側空間５４を囲む部分に形成された窓部９０Ｄ（図１２）に配置されている。
発光ダイオード４０Ａの光は導光部材５０２４を介して窓部９０Ｄに導かれる。
したがって、撮像装置１０の後方に撮影者が位置し、撮像装置１０の前方に被写体となった人がいる場合、発光ダイオード４０Ａの光、言い換えると、タイマー表示部４０の点灯動作は、撮影者および被写体となった人の双方から容易に視認できる。そのため、第１の実施の形態に比較してより撮影時の操作性、使い勝手の向上が図られている。
また、符号９８は、前環状部９０Ｂおよび後環状部９２Ｂのうち内側空間５４を囲む部分に装着される筒状のカバー部材を示し、カバー部材９８には窓部９０Ｄを外側に露出させる開口９８Ａが形成されている。
【００５１】
また、符号５０２６は、前本体９０Ａと後本体９２Ａとの間に収容されるプリント配線基板を示し、このプリント配線基板５０２６には、レンズ鏡筒１６および撮像素子１８などを含むカメラモジュール１９、シャッタースイッチ２４、カードスロット２３などが実装されている。また、プリント配線基板５０２６には、図１７に示す信号処理部２０、メモリカード用インターフェース２１、制御部３０、電源部３４などが設けられている。
また、符号５０３２はシャッターボタン２５を弾性的に支持するスプリングである。
スプリング５０３２は、前本体９０Ａの窓部９０１０からシャッターボタン２５が外方に臨むように前本体９０Ａの内部に配置されている。
【００５２】
なお、撮像装置１０の使用方法については第１の実施の形態と同様であるため、説明を省略する。
【００５３】
以上説明したように第４の実施の形態においても、第１の実施の形態と同様の効果が奏される。
【００５４】
なお、実施の形態においては、撮像装置としてデジタルスチルカメラおよび携帯電話機を例示したが、本発明はカメラ付のＰＤＡやカメラ付き携帯用電子機器などさまざまな撮像装置に無論適用可能である。
【図面の簡単な説明】
【００５５】
【図１】第１の実施の形態の撮像装置１０の使用状態を示す斜視図である。
【図２】（Ａ）は撮像装置１０の正面図、（Ｂ）は（Ａ）のＢ矢視図、（Ｃ）は（Ａ）のＣ矢視図である。
【図３】図２（Ａ）のＤ矢視図である。
【図４】図２（Ａ）のＥ矢視図である。
【図５】図２（Ａ）のＦ矢視図である。
【図６】撮像装置１０の分解斜視図である。
【図７】（Ａ）は撮像装置１０が装着されるクレードル１００の斜視図、（Ｂ）は撮像装置１０が装着されたクレードル１００の斜視図である。
【図８】撮像装置１０の制御系を示すブロック図である。
【図９】撮像装置１０の動作フローチャートである。
【図１０】（Ａ）は第２の実施の形態における携帯電話機６０の表面の斜視図、（Ｂ）は携帯電話機６０の裏面の斜視図である。
【図１１】（Ａ）は第３の実施の形態における携帯電話機７０の表面の斜視図、（Ｂ）は携帯電話機７０の裏面の斜視図である。
【図１２】第４の実施の形態の撮像装置１０の斜視図である。
【図１３】第４の実施の形態の撮像装置１０の斜視図である。
【図１４】（Ａ）は撮像装置１０の正面図、（Ｂ）は（Ａ）のＢ矢視図、（Ｃ）は（Ａ）のＣ矢視図である。
【図１５】（Ａ）は図１４（Ａ）のＤ矢視図、（Ｂ）は（Ａ）のＥ矢視図である。
【図１６】第４の実施の形態の撮像装置１０の分解斜視図である。
【図１７】第４の実施の形態の撮像装置１０の制御系を示すブロック図である。
【符号の説明】
【００５６】
１０……撮像装置、１２……筐体、１２Ａ……前面、１４……撮像光学系、１４Ａ……対物レンズ、１８……撮像素子、２５……シャッターボタン。
【図１】
2009159606.tif 000003
【図２】
2009159606.tif 000004
【図３】
2009159606.tif 000005
【図４】
2009159606.tif 000006
【図５】
2009159606.tif 000007
【図６】
2009159606.tif 000008
【図７】
2009159606.tif 000009
【図８】
2009159606.tif 000010
【図９】
2009159606.tif 000011
【図１０】
2009159606.tif 000012
【図１１】
2009159606.tif 000013
【図１２】
2009159606.tif 000014
【図１３】
2009159606.tif 000015
【図１４】
2009159606.tif 000016
【図１５】
2009159606.tif 000017
【図１６】
2009159606.tif 000018
【図１７】
2009159606.tif 000019